(57)【特許請求の範囲】
【請求項１】
床スラブと壁立ち上がり部とを有する外部床における仮防水工法であって、
前記床スラブの所定位置に仮排水管用の貫通孔を穿設し、
管部に排水用ホースの一端が接続された鍔付のドレインを前記貫通孔に差し込み、前記鍔部を前記貫通孔の周囲の前記床スラブに掛止させ、前記排水用ホースの他端を窓等の開口部を通して建物の外部へ引き出し、
仮防水シートを前記床スラブの表面から前記壁立ち上がり部の上端面にかけてプール状に敷設し、
前記仮防水シートを前記ドレインの鍔部の上面に対し貼着部材で貼着し、
前記ドレインの排水口の位置に合わせて前記仮防水シートに孔を開ける、仮防水工法。
【請求項２】
前記貼着部材により、前記仮防水シートを前記ドレインの鍔部の上面に対して、前記排水口の周囲において周方向に粘着漏れの箇所を生じさせずに粘着する、請求項１に記載の仮防水工法。
【請求項３】
前記ドレインの排水口の位置に合わせて前記仮防水シートに放射状の切れ込みを設け、
その一部を前記ドレインの排水口の中に入れ込むことによって前記孔を設ける、請求項２に記載の仮防水工法。
【発明の詳細な説明】
【技術分野】
【０００１】
本発明は、仮防水構造および仮防水工法に関する。
【背景技術】
【０００２】
従来、建物の躯体が立ち上がってから屋根やベランダの防水工事が完了するまでの期間において、降雨によって建物内部等が水濡れするのを防止するために、あるいは工期が延長するのを防止するために、種々の対策が講じられている。例えば、大規模な建物においては、足場を利用して建物全体を覆う仮設の屋根を設ける方法が数多く提案されている。また、住宅のような小規模の建物においては、単に屋根面にシートをかけるという方法が提案されている。
【０００３】
このような屋根面にシートをかけるという簡易な方法だと、勾配屋根の場合には雨仕舞い上の問題が少ない。ただし、パラペットを有する陸屋根等の場合には水溜りが形成されてしまい、水の排出方法を別途検討する必要が生じる。このような検討をふまえ、しかも、費用や手間を格段に削減し、尚かつ撤去作業のほぼ全てを省略することができるようにした仮防水技術としては、特許文献１に記載されたもの等がある（特許文献１参照）。
【先行技術文献】
【特許文献】
【０００４】
【特許文献１】特開２０１２−１３６８５９号公報
【発明の概要】
【発明が解決しようとする課題】
【０００５】
しかしながら、従来の仮防水技術には、仮樋の設置に手間やコストがかかる場合があった。また、従来の仮防水技術は、外周部に沿って仮樋を設置する為の凹部が存在することを前提としていることがあり、この場合、凹部が存在しないと対応できない。また、仮排水用のドレインを挿通する為の貫通孔を正確な位置に穿設する必要があり、この点でも手間がかかる。さらに、パラペットの突出寸法が小さい場合、ドレインを挿通する為の貫通孔が穿設できないことがある。加えて、貫通孔が外壁パネルに穿設されるので、補修（貫通孔を塞ぐ作業）の際は仕上がりに細心の注意を払う必要があるなど、従来の仮防水技術は作業性や汎用性の面で課題があった。
【０００６】
そこで、本発明は、従来の仮防水技術が有していた課題を解決することができ、仮樋の設置が不要で手間やコストが抑制でき、尚かつ、外周部に沿って凹部が形成されていなくても施工することができて汎用性が高い仮防水構造および仮防水工法を提供することを目的とするものである。
【課題を解決するための手段】
【０００７】
上記課題を解決すべく、本発明は、床スラブと壁立ち上がり部とを有する外部床における仮防水工法であって、
前記床スラブの所定位置に仮排水管用の貫通孔を穿設し、
管部に排水用ホースの一端が接続された鍔付のドレインを前記貫通孔に差し込み、前記鍔部を前記貫通孔の周囲の前記床スラブに掛止させ、前記排水用ホースの他端を窓等の開口部を通して建物の外部へ引き出し、
仮防水シートを前記床スラブの表面から前記壁立ち上がり部の上端面にかけてプール状に敷設し、
前記仮防水シートを前記ドレインの鍔部の上面に対し貼着部材で貼着し、
前記ドレインの排水口の位置に合わせて前記仮防水シートに孔を開ける、というものである。
【０００８】
この仮防水工法によれば仮樋の設置が不要であり、当該外部床の外周部に沿って凹部が形成されていなくても仮防水シートを施工することができる。また、この仮防水工法によれば、仮防水シートを敷設した後、ドレインの排水口の位置に合わせて仮防水シートに孔を開けるので、ドレインを挿通する為の貫通孔を正確な位置に穿設しなくて済む。このため、パラペットの突出寸法が小さい場合にも、ドレインを挿通する為の貫通孔が穿設できないようなことがない。外壁パネルに手を加えないので補修の手間を軽減することができる。
【０００９】
この仮防水工法においては、前記粘着部材により、前記仮防水シートを前記ドレインの鍔部の上面に対して、前記排水口の周囲において周方向に粘着漏れの箇所を生じさせずに粘着することが好ましい。これによれば、仮防水シートと鍔部との間からの水の浸入をより確実に防ぐことができる。
【００１０】
また、前記ドレインの排水口の位置に合わせて前記仮防水シートに放射状の切れ込みを設け、その一部を前記ドレインの排水口の中に入れ込むことによって前記孔を設けてもよい。これによれば作業が比較的簡単であるし、余計な切れ端が生じない。
【００１１】
また、本発明は、床スラブと壁立ち上がり部とを有する外部床における仮防水構造であって、
前記床スラブの所定位置に穿設された仮排水管用の貫通孔と、
管部に排水用ホースの一端が接続された鍔付のドレインであって、前記貫通孔に差し込まれ、前記鍔部が前記貫通孔の周囲の前記床スラブに掛止され、前記排水用ホースの他端が窓等の開口部を通して建物の外部へ引き出されたドレインと、
前記床スラブの表面から前記壁立ち上がり部の上端面にかけてプール状に敷設された仮防水シートと、
前記仮防水シートを前記ドレインの鍔部の上面に対して貼着する貼着部材と、
前記ドレインの排水口の位置に合わせて前記仮防水シートに開けられた孔と、
を含むものである。
【発明の効果】
【００１２】
本発明によれば、従来の仮防水技術が有していた課題を解決することができ、仮樋の設置が不要で手間やコストが抑制でき、尚かつ、外周部に沿って凹部が形成されていなくても施工することができて汎用性が高く、外壁パネルの補修が不要な仮防水構造および仮防水工法を提供することができる。
【図面の簡単な説明】
【００１３】
【図１】仮防水構造が敷設された外部床の一例を示す断面図である。
【図２】図１におけるパラペットの上端面付近の拡大図である。
【図３】貼着部材の一例を示す図である。
【図４】仮水切りの一例を示す斜視図である。
【図５】ドレインの構成例を示す貫通孔周りの断面図である。
【発明を実施するための形態】
【００１４】
以下、図面を参照しつつ本発明の実施形態について詳細に説明する（図１〜図５参照）。
【００１５】
本実施形態にて対象となる外部床１００は、例えば建物のフラットな屋根部や屋上などに形成された屋外の床部分をいう。この外部床１００は、非防水性素材のパネル１２０からなる床スラブ１１０を有している。外部床１００に適した非防水性素材の好適例としてはＡＬＣ（Autoclaved Light weight Concrete、軽量気泡コンクリート）などがある。
【００１６】
外部床１００の外周部には、当該外部床１００を囲うようにパラペット２００などのような壁立ち上がり部が設けられている（図１参照）。パラペット２００には、当該建物等の中心側（外部床１００のある側）を向く面である内壁面２０２と、これとは逆に外側を向く面である外壁面２０４とが形成されている。本実施形態のパラペット２００の材質はＡＬＣであるが特にこれには限定されない。
【００１７】
また、床スラブ１１０を構成するパネル１２０のうち最外周のもの（パラペット２００に近接したもの）は、Ｈ形鋼からなる外周屋根梁３００に支持されている。これら床スラブ１１０を構成するパネル１２０のうち最外周のものとパラペット２００との間には、後工程において目地モルタルが充填され外周目地部１５０となるスペースが形成されている（図１参照）。
【００１８】
パラペット２００の内壁面２０２側には、本防水シート貼着時の下地となる金物４００が取り付けられている（図１参照）。この金物４００は、上水平部４００ａ、鉛直部４００ｂ、下水平部４００ｃからなるクランク形状であり、上水平部４００ａがパラペット２００の上端面２０６に、鉛直部４００ｂがパラペット２００の内壁面２０２に、下水平部４００ｃがＨ鋼３００にそれぞれ当てがわれるように配置され、固着されている。このように固着された状態で、金物４００の鉛直部４００ｂが立ち上がり面となり、金物４００の上水平部４００ａが上端面となる（図１、図２参照）。
【００１９】
仮防水構造１は、このように周囲にパラペット２００が形成された外部床１００における仮防水のために用いられるもので、仮防水シート２、貼着部材３を含む。仮防水構造１は、さらに雨水侵入抑止部材としての仮水切り４を含んでいてもよい。
【００２０】
仮防水シート２は、床スラブ１１０の表面からパラペット２００の上端面２０６にかけてプール状に敷設されるシートである。仮防水シート２は、一枚で構成され重ね合わせのないものであることが好ましいが、防水性が保持されていればこの限りではない。
【００２１】
貼着部材３は、金物４００に貼着可能な磁石を含む部材である。この貼着部材３は、金物の鉛直部（立ち上がり面）４００ｂに対して、仮防水シート２に張力を与えつつ、当該仮防水シート２が外周目地部１５０で陥没しないように緩みの無い状態で貼着している（図１参照）。さらに、別の貼着部材３が、仮防水シート２の端縁部２ａあるいはその近傍を押さえ付けるように、パラペット２００の上端面２０６に貼着している。
【００２２】
このような貼着部材３の具体的な構成は限定されないが、本実施形態では、柔軟性を有する幅狭かつ長尺のプレート３２と、当該プレート３２の一方の面において長さ方向に所定の間隔で取り付けられた磁石３４と、からなるマグネットプレートを採用している（図３参照）。なお、貼着部材３としては、収容袋に収容されたマグネットプレートを採用してもよい。
【００２３】
仮水切り４は、パラペット２００の上端面２０６における雨水侵入を防止するための部材として用いられる（図１、図２参照）。本実施形態の仮水切り４は、水平片４ａと垂下片４ｂとからなる、断面Ｌ字状の部材ないしはアングル材で形成されている（図４参照）。仮水切り４は、仮防水シート２の端縁部２ａと水平片４ａとが重ね合わせられた状態で、垂下片４ｂが建物外側となり金物４００の上水平部４００ａとパラペット２００の上端との間の隙間を覆うように掛止される。さらに、この状態で、仮水切り４は、仮防水シート２の端縁部２ａあるいはその近傍を押さえ付ける別の貼着部材３と同一のものを用いて（仮防水シート２の端縁部２ａあるいはその近傍を押さえ付ける別の貼着部材３を兼用して）、金物４００の上水平部（上端面）４００ａに押さえ付けられるようにして配置されている（図１、図２参照）。
【００２４】
続いて、排水用のドレイン５００について説明する（図１、図５参照）。本実施形態では、以下のようにして外部床１００にドレイン５００を設ける。
【００２５】
本実施形態では、鍔部５２０とビニールホース５３０とで構成される鍔付きのドレイン５００を用いる。ビニールホース５３０は、その一端が、鍔部５２０の管部５２２に、例えば締結用バンド５４０を利用して留め付けられている（図５参照）。なお、ビニールホース５３０の代わりにゴムホースなどを排水用ホースとして用いてもよい。
【００２６】
まず、床スラブ１１０の所定位置に仮排水管用の貫通孔５１０を穿設し、該貫通孔５１０にドレイン５００を差し込む。このとき、ドレイン５００の鍔部５２０を貫通孔５１０の周囲における床スラブ１１０に係止させた状態とする。また、詳細な図示はしていないが、ビニールホース５３０の他端を、例えば窓等の開口部を通すなどして建物の外部へ引き出す。
【００２７】
ドレイン５００の鍔部５２０の上面には、仮防水シート２を貼着するための両面テープ５５０の片面を貼付しておく。両面テープ５５０のもう一方の面は、例えば仮防水シート２を敷設する直前に剥がした状態とする。
【００２８】
その後、仮防水シート２を、床スラブ１１０の表面からパラペット２００の上端面２０６にかけてプール状に敷設する。敷設し、仮防水シート２が位置決めされたところで、仮防水シート２の裏面を、鍔部５２０の上面の両面テープ５５０に押し付けるなどして貼着させる（図５参照）。このとき、両面テープ５５０を排水口５０２の周りに周回するように貼付しておき、周方向に粘着漏れの箇所が生じないように仮防水シート２と鍔部５２０とを粘着することが好ましい。これによれば、仮防水シート２と鍔部５２０との間からの水の浸入をより確実に防ぐことができる。
【００２９】
さらに、ドレイン５００の排水口５０２の位置に合わせて仮防水シート２に排水用の孔２ｂを開ける。この孔２ｂは、排水口５０２の大きさに合わせてくり抜いたものでもよい。あるいは、ドレイン５００の排水口５０２の位置に合わせて仮防水シート２に放射状の切れ込みを設け、その一部を排水口５０２の中に入れ込むことによって孔２ｂを設けてもよい。これによれば作業が比較的簡単かつ余計な切れ端が生じない。
【００３０】
このような仮防水構造１においては、プール状に敷設された仮防水シート２に雨水が降り注いだとしても、ドレイン５００で自動的に排水することができる。また、仮樋の設置は不要であり、当該外部床の外周部に沿って凹部が形成されていなくても仮防水シートを施工することができる。また、この仮防水工法によれば、仮防水シート２を敷設した後、ドレイン５００の排水口５０２の位置に合わせて仮防水シート２に孔２ｂを開けるので、ドレイン５００を挿通する為の貫通孔５１０を正確な位置に穿設しなくて済む。このため、パラペットの突出寸法が小さい場合にも、ドレイン５００を挿通する為の貫通孔５１０が穿設できないようなことがない。また、貫通孔５１０の補修時、表面に凹凸模様のある外壁パネルを再現する手間がないように貫通孔５１０の位置を設定することができる。
【００３１】
このように、この仮防水構造１およびこれを施工するための仮防水工法によれば、ドレイン５００の設置位置の自由度が高い。また、貫通孔５１０に関する高い位置精度は必要でないため、そのぶん手間が省ける。さらには、外壁パネルではなく本防水シートで被われる床スラブに貫通孔を設けるので貫通孔の補修（孔を塞ぐ作業）に際し仕上がりを過度に気にする必要がない。
【００３２】
なお、上述の実施形態は本発明の好適な実施の一例ではあるがこれに限定されるものではなく本発明の要旨を逸脱しない範囲において種々変形実施可能である。
【産業上の利用可能性】
【００３３】
本発明は、床スラブと壁立ち上がり部とを有する外部床において仮防水構造を施工する場合に適用して好適である。
【符号の説明】
【００３４】
１…仮防水構造
２…仮防水シート
２ｂ…排水用の孔
１００…外部床
１１０…床スラブ
１２０…パネル（非防水性素材のパネル）
１５０…外周目地部
２００…パラペット（壁立ち上がり部）
２０６…上端面
５００…ドレイン
５０２…排水口
５１０…貫通孔
５２０…鍔部
５２２…鍔部の管部
５３０…ビニールホース（排水用ホース）
５５０…両面テープ（貼着部材）
【図１】
0006404622.tif 000002
【図２】
0006404622.tif 000003
【図３】
0006404622.tif 000004
【図４】
0006404622.tif 000005
【図５】
0006404622.tif 000006